【手続補正書】
【提出日】平成18年1月12日(2006.1.12)
【手続補正１】
【補正対象書類名】特許請求の範囲
【補正対象項目名】全文
【補正方法】変更
【補正の内容】
【特許請求の範囲】
【請求項１】
ガス供給装置であって、
ガス貯蔵容器と、
前記ガス貯蔵容器からガスを供給するガス配管と、
前記ガス貯蔵容器と、前記ガス配管との間に設置され、通電されることにより開弁する電磁弁と、
前記電磁弁へ通電する電力供給線と、
前記ガス配管が破断する際の前記ガス貯蔵容器の移動量よりも小さい移動量で、前記電力供給線に引張力がかかるよう、前記電力供給線を、前記ガス貯蔵容器以外の部位に固定する固定具と、を備えるガス供給装置。
【請求項２】
ガス供給装置であって、
ガス貯蔵容器と、
前記ガス貯蔵容器からガスを供給するガス配管と、
前記ガス貯蔵容器と、前記ガス配管との間に設置され、通電されることにより開弁する電磁弁と、
前記電磁弁へ通電する電力供給線と、
前記電力供給線を、前記ガス貯蔵容器以外の部位に固定する電力供給線固定具と、
前記ガス配管を前記ガス貯蔵容器以外の部位に固定するガス配管固定具と、を備え、
前記ガス配管固定具および前記電力供給線固定具は、前記ガス貯蔵容器の移動時において、前記ガス配管固定具から前記電磁弁までの前記ガス配管のたわみ量が、前記電力供給線固定具から前記電磁弁までの前記電力供給線の長さよりも十分に大きくなるように設置される、ガス供給装置。
【請求項３】
請求項１または請求項２記載のガス供給装置であって、
前記ガス貯蔵容器の移動量に基づき発生する前記ガス配管および前記電力供給線にかかる引張力に対する前記電力供給線の引っ張り強度は、前記ガス配管の引っ張り強度より低く形成されているガス供給装置。
【請求項４】
請求項３記載のガス供給装置であって、
前記電力供給線の少なくとも一部に、前記ガス配管を破断させる引張力より弱い引張力で切断するコネクタを備えるガス供給装置。
【請求項５】
請求項３記載のガス供給装置であって、
前記電力供給線は、少なくとも一部に、前記引っ張り強度の弱い切断促進部を有するガス供給装置。
【請求項６】
ガス供給装置であって、
ガス貯蔵容器と、
前記ガス貯蔵容器に接続され、前記ガス貯蔵容器からガスを供給するガス配管と、
前記ガス配管上に設置され、通電されることにより開弁する電磁弁と、
前記電磁弁へ通電する電力供給線と、
前記ガス配管が破断する際の前記電磁弁の移動量よりも小さい移動量で、前記電力供給線に引張力がかかるよう、前記電力供給線を前記ガス配管以外の部位に固定する固定具と、を備えるガス供給装置。
【請求項７】
請求項１〜請求項６いずれか記載のガス供給装置であって、
該ガス供給装置は、車載されており、
前記引張力は、車両衝突時に発生する所定の衝撃以上の衝撃に基づき発生する力であるガス供給装置。
【手続補正２】
【補正対象書類名】明細書
【補正対象項目名】０００７
【補正方法】変更
【補正の内容】
【０００７】
上述の課題の少なくとも一部を解決するために、第１の発明はガス供給装置を提供する。本発明のガス供給装置は、ガス貯蔵容器と、前記ガス貯蔵容器からガスを供給するガス配管と、前記ガス貯蔵容器と、前記ガス配管との間に設置され、通電されることにより開弁する電磁弁と、前記電磁弁へ通電する電力供給線と、前記ガス配管を破断させる前記ガス貯蔵容器の移動量よりも小さい移動量で、前記電力供給線に引張力がかかるよう、前記電力供給線を、前記ガス貯蔵容器以外の部位に固定する固定具と、を備えることを要旨とする。
【手続補正３】
【補正対象書類名】明細書
【補正対象項目名】０００８
【補正方法】変更
【補正の内容】
【０００８】
電力供給線は柔軟な構造をしており、また、ガス貯蔵容器が移動し始める際、電力供給線はたわんでいるため、電力供給線に引張力はかからない。そのため、本発明のように固定具で電力供給線を固定し、引張力がかかり始めるタイミングを調整することにより、ガス配管の破断より前に電力供給線を破断させることができる。従って、簡易な構成で、ガス漏洩を高い精度で抑制できる。
【手続補正４】
【補正対象書類名】明細書
【補正対象項目名】０００９
【補正方法】変更
【補正の内容】
【０００９】
第２の発明は、ガス供給装置を提供する。本発明のガス供給装置は、ガス貯蔵容器と、前記ガス貯蔵容器からガスを供給するガス配管と、前記ガス貯蔵容器と、前記ガス配管との間に設置され、通電されることにより開弁する電磁弁と、前記電磁弁へ通電する電力供給線と、前記電力供給線を、前記ガス貯蔵容器以外の部位に固定する電力供給線固定具と、前記ガス配管を前記ガス貯蔵容器以外の部位に固定するガス配管固定具と、を備える。本発明のガス供給装置のガス配管固定具および電力供給線固定具は、前記ガス配管固定具から前記電磁弁までの前記ガス配管のたわみ量が、前記ガス貯蔵容器の移動時において、前記電力供給線固定具から前記電磁弁までの前記電力供給線の長さよりも十分に大きくなるように設置される。
【手続補正５】
【補正対象書類名】明細書
【補正対象項目名】００１０
【補正方法】変更
【補正の内容】
【００１０】
本発明のガス供給装置によれば、ガス貯蔵容器の移動時に、電力供給線をガス配管よりも先に破断させることができる。従って、ガス配管が損傷する前に電磁弁への電力供給を切断して電磁弁を閉弁することができ、ガスの漏洩を抑制できる。
【手続補正６】
【補正対象書類名】明細書
【補正対象項目名】００１１
【補正方法】変更
【補正の内容】
【００１１】
第１の発明および第２の発明のガス供給装置において、前記ガス貯蔵容器の移動量に基づき発生する前記ガス配管および前記電力供給線にかかる引張力に対する前記電力供給線の引っ張り強度は、前記ガス配管の引っ張り強度より低く形成されていてもよい。本発明のガス供給装置によれば、引張力により、ガス配管が損傷する前に電力供給線が損傷し電磁弁への通電が遮断され、電磁弁が閉弁するため、その後ガス配管が損傷しても、ガスが漏洩することを抑制できる。
【手続補正７】
【補正対象書類名】明細書
【補正対象項目名】００１２
【補正方法】変更
【補正の内容】
【００１２】
第１の発明および第２の発明のガス供給装置において、前記電力供給線の少なくとも一部に、前記ガス配管を破断させる引張力より弱い引張力で切断するコネクタを備えてもよい。本発明によれば、ガス配管が損傷する前にコネクタを切断し、電磁弁への通電を遮断することができる。従って、簡易な構成で、より精度良くガス漏洩を抑制できる。
【手続補正８】
【補正対象書類名】明細書
【補正対象項目名】００１３
【補正方法】変更
【補正の内容】
【００１３】
第１の発明および第２の発明のガス供給装置において、前記電力供給線は、少なくとも一部に、前記引っ張り強度の弱い切断促進部を有していてもよい。本発明によれば、電力供給線の切断部分が特定される、すなわち、意図する位置で切断させることが可能となり、修理、メンテナンス等において利便性が向上する。切断促進部を弁の近傍に設置することとしてもよい。電磁弁から切断部までの距離は、短いほど弱い引張力で切断されるため、より確実にガス配管の損傷より前に電磁弁への通電を遮断することができる。
【手続補正９】
【補正対象書類名】明細書
【補正対象項目名】００１４
【補正方法】変更
【補正の内容】
【００１４】
第３の発明はガス供給装置を提供する。第３の発明のガス供給装置は、ガス貯蔵容器と、前記ガス貯蔵容器からガスを供給するガス配管と、前記ガス配管に設置され、通電されることにより開弁する電磁弁と、前記電磁弁へ通電する電力供給線と、前記ガス配管を破断させる前記電磁弁の移動量よりも小さい移動量で、前記電力供給線に引張力がかかるよう、前記電力供給線を前記ガス配管以外の部位に固定する固定具と、を備えることを要旨とする。
【手続補正１０】
【補正対象書類名】明細書
【補正対象項目名】００１５
【補正方法】変更
【補正の内容】
【００１５】
第３の発明のガス供給装置によれば、電磁弁の移動時に、ガス配管が損傷する前に電力供給線が切断され電磁弁への通電が遮断される。従って、ガス配管が損傷する前に電磁弁を閉弁でき、ガス漏洩を抑制できる。
【手続補正１１】
【補正対象書類名】明細書
【補正対象項目名】００１６
【補正方法】変更
【補正の内容】
【００１６】
第１〜第３の発明のガス供給装置において、ガス供給装置は車載されており、前記引張力は、車両衝突時に発生する所定の衝撃以上の衝撃に基づき発生する力であってもよい。
【手続補正１２】
【補正対象書類名】明細書
【補正対象項目名】００１７
【補正方法】変更
【補正の内容】
【００１７】
第１〜第３の発明のガス供給装置によれば、車両衝突による衝撃によりガス貯蔵容器が移動した場合にも、ガス配管が損傷する前に電力供給線を切断して通電を遮断することができ、ガスの漏洩を抑制できる。従って、車両衝突時における安全性を向上できる。